(57)【特許請求の範囲】
【請求項１】
中心軸を含む測定空間から飛来してきた光子を各々検出する複数の光子検出器が前記中心軸を囲む筒上に２次元配列されていて、前記中心軸に平行な方向について１層の光子検出器がリング状に配列された検出器リングが前記中心軸に平行な方向に複数積層されて構成されたものに相当する筒状検出器を複数含み、これら複数の筒状検出器が前記中心軸に平行な方向に配列された検出部と、
少なくとも前記測定空間と前記検出部との間に、前記中心軸に平行な方向に関して前記筒状検出器と交互に配され、前記測定空間から飛来してきた光子のうち前記中心軸に直交する所定面に略平行なもののみを前記検出部に向かって通過させる複数のスライスコリメータと、
前記測定空間に置かれた被検体に対して相対的に前記検出部および前記複数のスライスコリメータを一体として前記中心軸に平行な方向に移動させる移動手段と、
前記移動手段により前記被検体に対して相対的に前記検出部および前記複数のスライスコリメータが移動している期間に、前記検出部に含まれる１対の光子検出器により検出された光子対の同時計数情報を獲得し、この同時計数情報を前記被検体に固定した座標系のものに変換して蓄積する同時計数情報蓄積部と、
前記同時計数情報蓄積部により蓄積された同時計数情報に基づいて、前記測定空間における光子対の発生頻度の空間分布を表す画像を再構成する画像再構成部と、
を備えることを特徴とするＰＥＴ装置。
【請求項２】
前記筒状検出器は、光子が受光面に入射したときの該受光面上の２次元入射位置を検出する複数の２次元位置検出器が前記所定面上にリング状に配列されて構成される、ことを特徴とする請求項１記載のＰＥＴ装置。
【請求項３】
前記複数のスライスコリメータそれぞれは、前記検出部に含まれる複数の筒状検出器のうちの隣り合う２つの筒状検出器の間の空間を経て各筒状検出器の後部に到るまで設けられている、ことを特徴とする請求項１記載のＰＥＴ装置。
【発明の詳細な説明】
【０００１】
【発明の属する技術分野】
本発明は、陽電子放出アイソトープ（ＲＩ線源）で標識された物質の挙動を画像化することができるＰＥＴ装置に関するものである。
【０００２】
【従来の技術】
ＰＥＴ（Positron Emission Tomography）装置は、ＲＩ線源が投与された生体（被検体）内における電子・陽電子の対消滅に伴って発生し互い逆方向に飛行するエネルギ５１１ｋｅＶの光子（ガンマ線）の対を検出することにより、その被検体内の極微量物質の挙動を画像化することができる装置である。ＰＥＴ装置は、被検体が置かれる測定空間の周囲に配列された多数の小型の光子検出器を有する検出部を備えており、電子・陽電子の対消滅に伴って発生する光子対を同時計数法で検出して蓄積し、この蓄積された多数の同時計数情報すなわち投影データに基づいて、測定空間における光子対の発生頻度の空間分布を表す画像を再構成する。このＰＥＴ装置は核医学分野等で重要な役割を果たしており、これを用いて例えば生体機能や脳の高次機能の研究を行うことができる。このようなＰＥＴ装置は、２次元ＰＥＴ装置および３次元ＰＥＴ装置に大別される。
【０００３】
図６は、２次元ＰＥＴ装置の検出部の構成を説明する図である。この図は、７つの検出器リングを含む構成の例を示しており、中心軸を含む面で検出部を切断したときの断面を示している。２次元ＰＥＴ装置の検出部１０は、シールドコリメータ１１とシールドコリメータ１２との間に積層された検出器リングＲ1〜Ｒ7を有している。検出器リングＲ1〜Ｒ7それぞれは、中心軸に垂直な面上にリング状に配された複数の光子検出器を有している。各光子検出器は、例えばＢＧＯ（Ｂｉ4Ｇｅ3Ｏ12）等のシンチレータと光電子増倍管とを組み合わせたシンチレーション検出器であり、中心軸を含む測定空間から飛来して到達した光子を検出する。また、２次元ＰＥＴ装置では、この検出部１０の内側にスライスコリメータＳ1〜Ｓ6が備えられている。これらのスライスコリメータＳ1〜Ｓ6それぞれは、中心軸に平行な方向に関して隣り合う検出器リングの間の位置に配されたリング状のものであり、原子番号が大きく比重が重い材料（例えば鉛やタングステン）からなり、斜めに入射した光子（ガンマ線）を遮蔽するコリメート作用を奏する。
【０００４】
このように構成される２次元ＰＥＴ装置の検出部１０は、スライスコリメータＳ1〜Ｓ6のコリメート作用により、中心軸との角度が略９０度の方向から飛来した光子対のみを同時計数することができる。すなわち、２次元ＰＥＴ装置の検出部１０により得られ蓄積された同時計数情報すなわち２次元投影データは、同一の検出器リングまたは隣り合う（若しくは極めて近い）検出器リングに含まれる１対の光子検出器によるものに限られる。したがって、２次元ＰＥＴ装置は、測定空間外の位置で発生した光子対が散乱された散乱線を効率よく除去することができ、また、２次元投影データに対して吸収補正や感度補正を容易に行うことができるので、定量性がよい再構成画像を得ることができる。
【０００５】
図７は、３次元ＰＥＴ装置の検出部の構成を説明する図である。この図も、中心軸を含む面で検出部を切断したときの断面を示している。３次元ＰＥＴ装置の検出部１０の構成は、２次元ＰＥＴ装置の場合と同様である。しかし、３次元ＰＥＴ装置ではスライスコリメータが備えられていない。このように構成される３次元ＰＥＴ装置の検出部１０は、広い立体角を有し、２次元ＰＥＴ装置と比較して広い方向から飛来した光子対を同時計数することができる。すなわち、３次元ＰＥＴ装置の検出部１０により得られ蓄積される同時計数情報すなわち３次元投影データは、任意の検出器リングに含まれる１対の光子検出器によるものが可能である。したがって、３次元ＰＥＴ装置は、２次元ＰＥＴ装置と比較して５倍〜１０倍程度の高い感度で、光子対を同時計数することができる。しかし、３次元ＰＥＴ装置は、２次元ＰＥＴ装置と比較して、散乱線の影響を除去することが困難であるので、再構成画像の定量性がよくない。
【０００６】
以上のように、３次元ＰＥＴ装置と比較すると、スライスコリメータを有する２次元ＰＥＴ装置は、光子対検出感度が低いものの、散乱線を効率的に除去することができ、吸収補正および感度補正を容易に行うことができるので、定量性が優れた再構成画像を得ることができるという利点がある。
【０００７】
【発明が解決しようとする課題】
しかしながら、従来のＰＥＴ装置は以下のような問題点を有している。すなわち、２次元ＰＥＴ装置および３次元ＰＥＴ装置の何れにおいても再構成画像における解像度の向上が求められている。そして、解像度の向上のためには個々の光子検出器を小型化することが不可欠である。
【０００８】
しかし、２次元ＰＥＴ装置の場合には、光子検出器の小型化に伴い、各スライスコリメータの間隔が狭くなるので、開口率が低下して、光子対検出感度が低下する。この問題に対し、２次元ＰＥＴ装置では、光子検出器の小型化に応じて各スライスコリメータを薄く且つ短くすれば、開口率の低下を抑制することができるものの、光子（ガンマ線）を遮蔽する効果すなわちコリメート効果が低下するので、散乱線を効率よく除外することができなくなり、再構成画像の定量性が低下する。
【０００９】
一方、３次元ＰＥＴ装置の場合には、光子検出器を小型化しても、スライスコリメータが備えられていないので、開口率の低下や光子対検出感度の低下の問題が生じない。しかし、既述したように、３次元ＰＥＴ装置では、本来的に散乱線の影響を除去するのが困難であるので、再構成画像の定量性がよくない。
【００１０】
本発明は、上記問題点を解消する為になされたものであり、再構成画像における解像度の向上を図りつつ良好な光子対検出感度および定量性を確保することができるＰＥＴ装置を提供することを目的とする。
【００１１】
【課題を解決するための手段】
本発明に係るＰＥＴ装置は、(1) 中心軸を含む測定空間から飛来してきた光子を各々検出する複数の光子検出器が中心軸を囲む筒上に２次元配列されていて、中心軸に平行な方向について１層の光子検出器がリング状に配列された検出器リングが中心軸に平行な方向に複数積層されて構成されたものに相当する筒状検出器を複数含み、これら複数の筒状検出器が中心軸に平行な方向に配列された検出部と、(2) 少なくとも測定空間と検出部との間に、中心軸に平行な方向に関して筒状検出器と交互に配され、測定空間から飛来してきた光子のうち中心軸に直交する所定面に略平行なもののみを検出部に向かって通過させる複数のスライスコリメータと、(3) 測定空間に置かれた被検体に対して相対的に検出部および複数のスライスコリメータを一体として中心軸に平行な方向に移動させる移動手段と、(4) 移動手段により被検体に対して相対的に検出部および複数のスライスコリメータが移動している期間に、検出部に含まれる１対の光子検出器により検出された光子対の同時計数情報を獲得し、この同時計数情報を被検体に固定した座標系のものに変換して蓄積する同時計数情報蓄積部と、(5) 同時計数情報蓄積部により蓄積された同時計数情報に基づいて、測定空間における光子対の発生頻度の空間分布を表す画像を再構成する画像再構成部と、を備えることを特徴とする。
【００１２】
本発明に係るＰＥＴ装置によれば、測定空間に置かれた被検体に対して相対的に検出部および複数のスライスコリメータが一体として中心軸に平行な方向に移動手段により移動し、この相対的移動の期間に、測定空間において発生した光子対のうちスライスコリメータにより遮蔽されることなく検出部に到達したものは、検出部に含まれる１対の光子検出器により同時検出され、この同時計数情報は、同時計数情報蓄積部により、被検体に固定した座標系のものに変換されて蓄積される。そして、同時計数情報蓄積部による同時計数情報の蓄積が終了すると、蓄積された同時計数情報に基づいて、画像再構成部により、測定空間における光子対の発生頻度の空間分布を表す画像が再構成される。
【００１３】
本発明に係るＰＥＴ装置では、同時計数情報の検出は、検出部に含まれる同一の筒状検出器内の１対の光子検出器により行われることがあり、また、各筒状検出器および各スライスコリメータそれぞれのサイズによっては、互いに隣り合う２つの筒状検出器それぞれに含まれる１対の光子検出器により行われることがあり、さらに離れた２つの筒状検出器それぞれに含まれる１対の光子検出器により行われることもある。換言すれば、同時計数情報の検出は、同一の検出器リング（中心軸に平行な方向について１層の光子検出器がリング状に配列されたもの）内で行われるだけでなく、互いに隣り合う２つの検出器リング間でも行われることがあり、更に離れた２つの検出器リング間でも行われることがある。すなわち、本発明に係るＰＥＴ装置は、従来の２次元ＰＥＴ装置と従来の３次元ＰＥＴ装置との中間的な構成となり、従来の２次元ＰＥＴ装置の感度と比べると数倍程度の感度を有する。したがって、本発明に係るＰＥＴ装置は、再構成画像における解像度の向上を図りつつ良好な光子対検出感度および定量性を確保することができる。
【００１４】
特に、本発明に係るＰＥＴ装置では、移動手段により被検体に対して相対的に検出部およびスライスコリメータが一体として中心軸に平行な方向に移動している期間に同時計数情報が同時計数情報蓄積部により蓄積され、この蓄積された同時計数情報に基づいて画像再構成部により再構成画像が得られるので、筒状検出器およびスライスコリメータが交互に配列された検出部の構成であっても、被検体の体軸方向について均一な感度で光子対を検出することができ、また、再構成画像における定量性を均一にすることができる。
【００１５】
また、本発明に係るＰＥＴ装置では、筒状検出器は、光子が受光面に入射したときの該受光面上の２次元入射位置を検出する複数の２次元位置検出器が所定面上にリング状に配列されて構成される、ことを特徴とする。この場合には、個々の光子検出器を小型化して再構成画像の解像度の向上を図る上で好適である。
【００１６】
また、本発明に係るＰＥＴ装置では、複数のスライスコリメータそれぞれは、検出部に含まれる複数の筒状検出器のうちの隣り合う２つの筒状検出器の間の空間を経て各筒状検出器の後部に到るまで設けられている、ことを特徴とする。また、複数のスライスコリメータそれぞれは、例えば当該後部において互いに固定されているのが好適である。この場合には、各筒状検出器と各スライスコリメータとの相対的位置関係の精度が優れ、各筒状検出器と各スライスコリメータとが中心軸に平行な方向に常に交互に位置するので、各筒状検出器への光子の入射効率が優れ、性能を充分に発揮することができる。また、各筒状検出器、各スライスコリメータおよび保持板などの加工精度や組立精度を厳密に管理する必要がないので、製造が容易であり、安価となる。また、検出部およびスライスコリメータを一体として中心軸に平行な方向に移動させる上で好適である。
【００１７】
【発明の実施の形態】
以下、添付図面を参照して本発明の実施の形態を詳細に説明する。なお、図面の説明において同一の要素には同一の符号を付し、重複する説明を省略する。
【００１８】
図１は、本実施形態に係るＰＥＴ装置１の全体の概略構成図である。この図では、検出部１０およびスライスコリメータ２１については、中心軸を含む面で切断したときの断面を示している。本実施形態に係るＰＥＴ装置１は、検出部１０、スライスコリメータ２１1〜２１11、ベッド３１、支持台３２、移動手段４０、同時計数情報蓄積部５０、画像再構成部６０および表示部７０を備えている。なお、この図には、このＰＥＴ装置１による検査の対象である被検体２も示されている。また、このＰＥＴ装置１により光子対の同時計数情報の検出が可能な空間が測定空間３として示されている。
【００１９】
検出部１０は、各々リング形状のシールドコリメータ１１とシールドコリメータ１２との間に筒状検出器１３1〜１３12が中心軸に平行な方向に配列されたものである。各筒状検出器１３nは、中心軸を含む測定空間３から飛来してきた光子を各々検出する複数の光子検出器が中心軸を囲む筒上に２次元配列されたものである。すなわち、各筒状検出器１３nは、複数の光子検出器が中心軸に垂直な面上にリング状に配列された検出器リングが中心軸に平行な方向に複数積層されて構成されたものに相当する。スライスコリメータ２１1〜２１11は、少なくとも測定空間３と検出部１０との間に、中心軸に平行な方向に関して筒状検出器１３1〜１３12と交互に配され、測定空間３から飛来してきた光子のうち所定面に略平行なもののみを検出部１０に向かって通過させるものである。検出部１０およびスライスコリメータ２１1〜２１11の詳細については後述する。
【００２０】
ベッド３１は、被検体２を載置するものであり、支持台３２により支持されている。移動手段４０は、測定空間３に置かれた被検体２に対して相対的に、検出部１０およびスライスコリメータ２１1〜２１11を一体として、中心軸に平行な方向に移動させる。具体的には、移動手段４０は、検出部１０およびスライスコリメータ２１1〜２１11を一体として中心軸に平行な方向に移動させてもよいし、ベッド３１（すなわち被検体２）を中心軸に平行な方向に移動させてもよい。また、測定期間中に一方向のみの移動であってよいし、往復移動であってもよい。移動手段４０による相対的移動は、測定期間中に被検体２の被測定部位が各筒状検出器１３nの配置のピッチの１／２以上の距離だけ測定空間３内で移動するよう行われる。好適には、測定期間中における被検体２の被測定部位の測定空間３内での相対的移動は、上記ピッチの整数倍の距離だけ行われ、また、等速で行われる。また、被検体２の被測定部位が中心軸方向に一定範囲に亘って存在する場合には、測定期間中に上記一定範囲の各部位が測定空間３内に留まる時間が略一定であるのが好適である。
【００２１】
同時計数情報蓄積部５０は、移動手段４０により被検体２に対して相対的に検出部１０およびスライスコリメータ２１1〜２１11が移動している期間に、検出部１０に含まれる１対の光子検出器により検出された光子対の同時計数情報を蓄積する。この同時計数情報の蓄積に際しては、被検体２に対する検出部１０およびスライスコリメータ２１1〜２１11の相対的変位量に基づいて、検出部１０において検出された同時計数情報を、被検体２に対して固定された座標系のものに変換して、この座標変換された同時計数情報を蓄積する。なお、相対的変位量は、エンコーダ等により求めたものを用いてもよいし、移動手段４０が把握しているものを用いてもよい。
【００２２】
画像再構成部６０は、同時計数情報蓄積部５０により蓄積された同時計数情報に基づいて、測定空間３における光子対の発生頻度の空間分布を表す画像を再構成する。また、画像再構成部６０は、検出部１０の各光子検出器の検出感度のばらつきを補正する感度補正、被検体２における光子の吸収を補正する吸収補正、および、被検体２における光子の散乱を補正する散乱補正をも行う。表示部７０は、画像再構成部６０により得られた再構成画像を表示する。また、制御部８０は、移動手段４０による相対的移動、同時計数情報蓄積部５０による同時計数情報の蓄積、画像再構成部６０による画像の再構成、および、表示部７０による再構成画像の表示を制御する。
【００２３】
図２は、本実施形態に係るＰＥＴ装置の検出部１０およびスライスコリメータ２１の構成を説明する図である。この図は、中心軸を含む面で検出部１０およびスライスコリメータ２１1〜２１11を切断したときの断面を示している。本実施形態に係るＰＥＴ装置の検出部１０は、各々リング形状のシールドコリメータ１１とシールドコリメータ１２との間に、中心軸に平行な方向に積層された筒状検出器１３1〜１３12を含んでいる。また、各々リング形状のスライスコリメータ２１1〜２１11は、少なくとも測定空間と検出部１０との間にあって、中心軸に平行な方向に関して筒状検出器１３nと交互に配されている。すなわち、各スライスコリメータ２１nは、互いに隣り合う筒状検出器１３nと筒状検出器１３n+1との間の位置に配されている。そして、各スライスコリメータ２１nは、原子番号が大きく比重が重い材料（例えば鉛やタングステン）からなり、厚さが数ｍｍ（例えば５ｍｍ〜６ｍｍ）であって、測定空間から飛来してきた光子（ガンマ線）のうち、中心軸に垂直な面に略平行な光子を検出部１０に向かって通過させ、斜めに入射した光子を遮蔽するコリメート作用を奏する。
【００２４】
図３は、本実施形態に係るＰＥＴ装置の検出部１０およびスライスコリメータ２１の一部（図２で一点鎖線で囲った枠内の部分）を拡大して示す図である。また、図４は、本実施形態に係るＰＥＴ装置の筒状検出器１３nおよびスライスコリメータ２１nの構成を説明する図である。この図４では、中心軸に平行な方向に見たときの筒状検出器１３nとスライスコリメータ２１nとの関係を示している。各筒状検出器１３nは、中心軸に垂直な面上であって同一円周上にリング状に配された複数のブロック検出器１４1〜１４Mを有している。各ブロック検出器１４mは、光子が受光面に入射したときの該受光面上の２次元入射位置を検出する２次元位置検出器である。また、各スライスコリメータ２１nは、互いに隣り合う筒状検出器１３nと筒状検出器１３n+1との間の空間を経て各筒状検出器１３nの後部に到るまで設けられており、当該後部において保持板２２により互いに一体的に固定されている。
【００２５】
図５は、ブロック検出器１４の構成図である。この図に示すように、各ブロック検出器１４mは、Ｐ×Ｑ（Ｐ≧２，Ｑ≧２）のセグメントからなるシンチレータブロック１５と位置検出型光電子増倍管１６とを組み合わせたシンチレーション検出器であり、測定空間から飛来して到達した光子を検出するとともに、光子がシンチレータブロック１５の受光面に入射したときの該受光面上の２次元入射位置を検出する。すなわち、各ブロック検出器１４mは、Ｐ×Ｑ個の小型の光子検出器が２次元配列されたものに相当する。また、このようなブロック検出器１４mがリング状に配列されて構成された筒状検出器１３nは、複数の小型の光子検出器が中心軸に垂直な面上にリング状に配列されて検出器リングが構成され、更にこの検出器リングが中心軸に平行な方向に複数積層されたものに相当する。なお、ブロック検出器１４mでは、シンチレータブロック１５および位置検出型光電子増倍管１６とともに、この位置検出型光電子増倍管１６内の各電極に所定の電圧を印加するための抵抗器列や、この位置検出型光電子増倍管１６のアノード電極から出力される電流信号を入力して電圧信号として出力するためのプリアンプが、遮光の為の筐体内に収められている。
【００２６】
例えば、シンチレータブロック１５は、ＢＧＯ（Ｂｉ4Ｇｅ3Ｏ12）、ＧＳＯ（Ｇｄ2ＳｉＯ5(Ｃｅ)）、ＬＳＯ（Ｌｕ2ＳｉＯ5(Ｃｅ)）およびＰＷＯ（ＰｂＷＯ4）等が好適に用いられる。シンチレータブロック１５は、８×８のセグメントからなり、各セグメントのサイズが６ｍｍ×６ｍｍ×２０ｍｍであり、また、位置検出型光電子増倍管１６の光電面の広さが５０ｍｍ×５０ｍｍである。そして、このようなシンチレータブロック１５および位置検出型光電子増倍管１６を含むブロック検出器１４mがリング状に６０個配列されて筒状検出器１３nが構成される。このとき、各筒状検出器１３nの内径は１０００ｍｍ程度である。また、各スライスコリメータ２１nの内径は６００ｍｍである。さらに、このような筒状検出器１３1〜１３12とスライスコリメータ２１1〜２１11とが中心軸に平行な方向に交互に積層されたものの厚み（すなわち体軸方向視野）は６７０ｍｍ程度である。
【００２７】
このような条件の下では、測定空間３における電子・陽電子の対消滅に伴って発生し互い逆方向に飛行するエネルギ５１１ｋｅＶの光子（ガンマ線）の対の検出すなわち同時計数情報の検出は、同一の筒状検出器１３n内の１対のブロック検出器１４により行われることがあり、また、互いに隣り合う筒状検出器１３nおよび筒状検出器１３n+1それぞれに含まれる１対のブロック検出器１４により行われることがある。また、同時計数情報の検出は、更に離れた２つの筒状検出器１３それぞれに含まれる１対のブロック検出器１４により行われることもある。換言すれば、同時計数情報の検出は、同一の検出器リング内で行われるだけでなく、互いに隣り合う２つの検出器リング間でも行われることがあり、更に離れた２つの検出器リング間でも行われることがある。
【００２８】
すなわち、本実施形態に係るＰＥＴ装置１は、従来の２次元ＰＥＴ装置と従来の３次元ＰＥＴ装置との中間的な構成となる。上記の条件下における体軸方向視野単位長さ（ｃｍ）当たりの感度を計算すると、本実施形態に係るＰＥＴ装置１の感度は、約１．３ｋｃｐｓ／(ｋＢｑ・ｍｌ)となり、従来の３次元ＰＥＴ装置の感度（約２．５８ｋｃｐｓ／(ｋＢｑ・ｍｌ)）と比べれば２分の１程度であるが、従来の２次元ＰＥＴ装置の感度（約０．２８ｋｃｐｓ／(ｋＢｑ・ｍｌ)）と比べると４倍〜５倍程度である。
【００２９】
次に、本実施形態に係るＰＥＴ装置１の動作について説明する。ＲＩ線源が投与された被検体２がベッド３１上に置かれ、被検体２の被測定部位が測定空間３内に位置される。そして、制御部８０による制御の下、ＰＥＴ装置１は以下のように動作する。まず、移動手段４０により、測定空間３に置かれた被検体２に対して相対的に、検出部１０およびスライスコリメータ２１1〜２１11が一体として中心軸に平行な方向に移動を開始する。
【００３０】
測定空間３における電子・陽電子の対消滅に伴って発生し互い逆方向に飛行するエネルギ５１１ｋｅＶの光子（ガンマ線）の対のうち、スライスコリメータ２１1〜２１11により遮蔽されることなく検出部１０に到達したものは、検出部１０に含まれる１対の光子検出器により同時検出される。そして、この相対的移動の期間中に検出部１０により同時検出された光子対の同時計数情報は、被検体２に対する検出部１０およびスライスコリメータ２１1〜２１11の相対的変位量に基づいて、被検体２に対して固定された座標系のものに変換されて、同時計数情報蓄積部５０により蓄積される。
【００３１】
所定の測定期間が終了すると、同時計数情報蓄積部５０による同時計数情報の蓄積が終了し、移動手段４０による相対的移動も終了する。そして、画像再構成部６０により、同時計数情報蓄積部５０により蓄積された同時計数情報に基づいて、測定空間３における光子対の発生頻度の空間分布を表す画像が再構成される。また、画像再構成部６０により、感度補正、吸収補正および散乱補正も行われる。画像再構成部６０により得られた再構成画像は表示部７０により表示される。
【００３２】
以上のように、本実施形態に係るＰＥＴ装置１の検出部１０は、筒状検出器１３1〜１３12が中心軸に平行な方向に配列されたものであって、各筒状検出器１３nは、複数の光子検出器が中心軸を囲む筒上に２次元配列されたものである。そして、筒状検出器１３1〜１３12とスライスコリメータ２１1〜２１11とは、中心軸に平行な方向に関して交互に配されている。このように検出部１０が構成されることにより、個々の光子検出器を小型化することで再構成画像の解像度の向上を図ることができる。また、検出器リング間にスライスコリメータを設けるのではなく、筒状検出器１３n間にスライスコリメータ１２nを設けることで、各スライスコリメータ１２nの間隔を確保して、開口率の低下を抑制し、光子対検出感度を確保することができる。さらに、各スライスコリメータ１２nを薄くする必要がないので、コリメート効果を維持することができ、散乱線を効率よく除外することができて、再構成画像の定量性を確保することができる。このように本実施形態に係るＰＥＴ装置１は、再構成画像における解像度の向上を図りつつ良好な光子対検出感度および定量性を確保することができる。
【００３３】
また、移動手段４０により被検体２に対して相対的に検出部１０およびスライスコリメータ２１1〜２１11が一体として中心軸に平行な方向に移動している期間に同時計数情報が同時計数情報蓄積部５０により蓄積され、この蓄積された同時計数情報に基づいて画像再構成部６０により再構成画像が得られる。したがって、本実施形態では、上記のような筒状検出器１３1〜１３12およびスライスコリメータ２１1〜２１11の構成であっても、被検体２の体軸方向について均一な感度で光子対を検出することができ、また、再構成画像における定量性を均一にすることができる。
【００３４】
また、本実施形態では、光子が受光面に入射したときの該受光面上の２次元入射位置を検出する複数の２次元位置検出器（ブロック検出器１４m）がリング状に配列されて筒状検出器１３nが構成される。したがって、この場合には、個々の光子検出器を小型化して再構成画像の解像度の向上を図る上で好適である。
【００３５】
また、本実施形態では、スライスコリメータ２１nは、筒状検出器１３nと筒状検出器１３n+1との間の空間を経て各筒状検出器１３nの後部に到るまで設けられており、当該後部において保持板２２により互いに一体的に固定されている。したがって、この場合には、各筒状検出器１３nと各スライスコリメータ２１nとの相対的位置関係の精度が優れ、各筒状検出器１３nと各スライスコリメータ２１nとが中心軸に平行な方向に常に交互に位置するので、各筒状検出器１３nへの光子の入射効率が優れ、性能を充分に発揮することができる。また、各筒状検出器１３n、各スライスコリメータ２１nおよび保持板２２などの加工精度や組立精度を厳密に管理する必要がないので、製造が容易であり、安価となる。また、検出部１０およびスライスコリメータ２１1〜２１11を一体として中心軸に平行な方向に移動させる上で好適である。
【００３６】
【発明の効果】
以上、詳細に説明したとおり、本発明によれば、同時計数情報の検出は、検出部に含まれる同一の筒状検出器内の１対の光子検出器により行われることがあり、また、各筒状検出器および各スライスコリメータそれぞれのサイズによっては、互いに隣り合う２つの筒状検出器それぞれに含まれる１対の光子検出器により行われることがあり、さらに離れた２つの筒状検出器それぞれに含まれる１対の光子検出器により行われることもある。換言すれば、同時計数情報の検出は、同一の検出器リング内で行われるだけでなく、互いに隣り合う２つの検出器リング間でも行われることがあり、更に離れた２つの検出器リング間でも行われることがある。すなわち、本発明に係るＰＥＴ装置は、従来の２次元ＰＥＴ装置と従来の３次元ＰＥＴ装置との中間的な構成となり、従来の２次元ＰＥＴ装置の感度と比べると数倍程度の感度を有する。したがって、本発明に係るＰＥＴ装置は、再構成画像における解像度の向上を図りつつ良好な光子対検出感度および定量性を確保することができる。
【００３７】
特に、移動手段により被検体に対して相対的に検出部およびスライスコリメータが一体として中心軸に平行な方向に移動している期間に同時計数情報が同時計数情報蓄積部により蓄積され、この蓄積された同時計数情報に基づいて画像再構成部により再構成画像が得られるので、筒状検出器およびスライスコリメータが交互に配列された検出部の構成であっても、被検体の体軸方向について均一な感度で光子対を検出することができ、また、再構成画像における定量性を均一にすることができる。
【００３８】
また、光子が受光面に入射したときの該受光面上の２次元入射位置を検出する複数の２次元位置検出器が所定面上にリング状に配列されて筒状検出器が構成される場合には、個々の光子検出器を小型化して再構成画像の解像度の向上を図る上で好適である。
【００３９】
また、複数のスライスコリメータそれぞれは、検出部に含まれる複数の筒状検出器のうちの隣り合う２つの筒状検出器の間の空間を経て各筒状検出器の後部に到るまで設けられており、例えば当該後部において互いに固定されているのが好適である。この場合には、各筒状検出器と各スライスコリメータとの相対的位置関係の精度が優れ、各筒状検出器と各スライスコリメータとが中心軸に平行な方向に常に交互に位置するので、各筒状検出器への光子の入射効率が優れ、性能を充分に発揮することができる。また、各筒状検出器、各スライスコリメータおよび保持板などの加工精度や組立精度を厳密に管理する必要がないので、製造が容易であり、安価となる。また、検出部およびスライスコリメータを一体として中心軸に平行な方向に移動させる上で好適である。
【図面の簡単な説明】
【図１】本実施形態に係るＰＥＴ装置の全体の概略構成図である。
【図２】本実施形態に係るＰＥＴ装置の検出部およびスライスコリメータの構成を説明する図である。
【図３】本実施形態に係るＰＥＴ装置の検出部およびスライスコリメータの一部を拡大して示す図である。
【図４】本実施形態に係るＰＥＴ装置の筒状検出器およびスライスコリメータの構成を説明する図である。
【図５】ブロック検出器の構成図である。
【図６】２次元ＰＥＴ装置の検出部の構成を説明する図である。
【図７】３次元ＰＥＴ装置の検出部の構成を説明する図である。
【符号の説明】
１…ＰＥＴ装置、２…被検体、３…測定空間、１０…検出部、１１，１２…シールドコリメータ、１３…筒状検出器、１４…ブロック検出器、１５…シンチレータブロック、１６…位置検出型光電子増倍管、２１…スライスコリメータ、２２…保持板、３１…ベッド、３２…支持台、４０…移動手段、５０…同時計数情報蓄積部、６０…画像再構成部、７０…表示部。
【図１】
0004536211.tif 000002
【図２】
0004536211.tif 000003
【図３】
0004536211.tif 000004
【図４】
0004536211.tif 000005
【図５】
0004536211.tif 000006
【図６】
0004536211.tif 000007
【図７】
0004536211.tif 000008